Podtech/llm-jp-corpus-v4-ja_patent huggingface dataset:
(57)【要約】      （修正有）【課題】涼風づくりの打ち水や、栽培植物への撒水などの、保水効果を高める保水器材を提供する。【解決手段】保水器材は、おが屑（大鋸屑）を、通水性をもつ布袋に密に詰めたもので、撒水する地表に設置したり、埋設したりする。【選択図】図１
0003233437.tif 000002
【実用新案登録請求の範囲】
【請求項１】
おが屑（大鋸屑）を通水性に富む布袋に密に詰めてなる、保水器材。
【考案の詳細な説明】
【技術分野】
【０００１】酷暑や集中豪雨が多発する等、異常気象が定着してきている。なかでも猛暑や局地的豪雨は、毎年くり返す状態となった。
【背景技術】
【０００２】異常気象に伴う災害の原因に、地表面の渇水が言われる。これは地面の多くが、コンクリートやアスファルトで覆われて透水性を失い、気化熱による熱の放散が、できにくいことや、地表の吸水力が低下する環境になったことも指摘されている。【０００３】地面が渇水したことによる被害の代表例は、街路樹に表われている。家庭への影響では、「打ち水」の習慣が消えつつあることであろう。即ち、打ち水する地面が、コンクリートやアスファルトで覆われ、撒水の大半が短時間で流失し、涼風づくりが期待しにくくなった。
【考案の概要】
【考案が解決しようとする課題】
【０００４】渇水を補うための散水を受けとめる、吸水し保水する器材を要所に配備、設置したい。
【課題を解決するための手段】
【０００５】本考案になる、おが屑（大鋸屑）を通水性を持つ布袋に詰めた器材（図１）を用いる。【０００６】本器材が保水の機能を具えるのは、微小なおが屑（大鋸屑）を袋詰めすることによって、木屑同士が密着し、屑表面のササクレやムシレもあって、毛細管現象を生じ（図２）、大量の水を貯える（保水する）ことになる。その保水量は器材の自重を超えることがわかった。【０００７】本考案になる器材の、保水力を計測した例を示す。
○器材：おが屑を通水性のあるポリプロピレンの不織布に、密に詰めたものである。
○数量：１ｋｇ
○吸水させた直後の重量：２．４５ｋｇ
（保水量は、１．４５ｋｇとなる。）
○天日のベランダに曝し、３日後の器材の重量：１．３７ｋｇ
（揮発水分量：１．０８ｋｇ）
○計測日：令和２年８月７〜９日【０００８】本考案になる器材の設置場所は、庭やベランダ、屋上、街路樹の周辺等である。その一部は、埋設して用いる。【０００９】本考案になる保水用の器材は、災害時の土のうの代替材としても利用できる。本器材を積み上げた後、吸水させるのである。
【考案の効果】
【００１０】本考案になる保水器材を用いれば、打ち水などの撒水の一部を受けとめて保水し、時間をかけて気化し、気温を下げる。これをベランダで行えば、冷房費が節減でき、省エネやＣＯ２削減に繋がる。【００１１】本考案になる保水器材は数年をかけて劣化する。この劣化は土に帰ることであり、廃棄処理は容易である。
【考案を実施するための形態】
【００１２】本考案になる器材に用いる、おが屑の原料は、生（なま）木に限る。生木は間伐材、端材などを利用する。これによれば、植物に弊害を与えることがない。おが屑には、建設廃材由来のものがあるが、防腐剤などの薬剤を含浸させたり、塗布した木材が多いため除外する。
【００１３】本考案になる器材の素材である、おが屑を詰める袋は、通水性がなければならない。布は織布でも不織布でもよく、その素材は、天然繊維か化学繊維かを問わない。
【００１４】本考案になる器材は、毛細管現象を利用するため、おが屑は密に袋詰めする。ここに「密に詰める」としたが、特段に強い機械的な圧力をかける程のことは、不要である。
【００１５】本考案になる器材の形は、大型の枕形や座布団形など自由に設計できる。
【図面の簡単な説明】
【００１６】
【図１】図１は、おが屑を袋詰めした斜視図。
【図２】図２は、おが屑の塊の断面図を拡大したイメージ図。
【符号の説明】
【００１７】１……おが屑の粒。
２……水。
【図１】
0003233437.tif 000003
【図２】
0003233437.tif 000004
(57)【要約】【課題】目の不自由な方が描画された絵柄の内容を理解し楽しむことができる陶磁器を提供する。【解決手段】陶磁器１０は、イッチン技法によって描画した点字１１を含む。点字を描画するために用いる上絵具は、三番白盛に長石釉を加えた上絵具である。点字１１に関連する絵柄１２は、白盛を含む上絵具で描画する。点字１１および絵柄１２を描画した上絵焼きの焼き上げ温度を７６０℃〜７８０℃とする。【選択図】図１
0003233311.tif 000002
【実用新案登録請求の範囲】
【請求項１】
イッチン技法によって描画した点字を含むこと、を特徴とする陶磁器。
【請求項２】
前記点字を描画するために用いる上絵具は、三番白盛に長石釉を加えた上絵具であること、を特徴とする請求項１に記載の陶磁器。
【請求項３】
前記点字に関連する絵柄を、白盛を含む上絵具で描画すること、を特徴とする請求項１または請求項２に記載の陶磁器。
【請求項４】
上絵焼きの焼き上げ温度を７６０℃〜７８０℃とすること、を特徴とする請求項１〜３のいずれか１つに記載の陶磁器。
【考案の詳細な説明】
【技術分野】
【０００１】
本考案は、イッチン技法によって描画した点字を含む陶磁器に関する。
【背景技術】
【０００２】
季節感を大切にする茶道では、季節に合った絵柄が描かれた茶碗を使用することも多い。しかしながら、目の不自由な方がお点前を楽しむ場合、茶碗にどのような絵柄が描かれているかが分からず、茶碗の季節感を十分に感じることができないという問題があった。
【０００３】
このような問題を解決する技術として、陶磁器を作成する際に使用する鋳型に、凹部による点字を形成することによって、陶磁器外面に凸部による点字を形成する技術が開示されている（特許文献１参照）。かかる技術は、陶磁器の外面に点字を施すとともに、陶磁器に絵柄を描くことによって、茶碗に描かれた絵柄が何であるかを目の不自由な方が理解することができる。
【先行技術文献】
【特許文献】
【０００４】
【特許文献１】実開平4-115472号公報
【考案の概要】
【考案が解決しようとする課題】
【０００５】
しかしながら、上記特許文献１に記載された技術は、点字の凹部を施した鋳型を作成したうえで陶磁器を生産することになるため、陶磁器を大量に生産する場合には適しているが、茶道で使用するような一点物を作成する場合は、一点物の陶磁器ごとに鋳型を作成することになるため、無駄に手間がかかるという問題があった。また、陶磁器に通常の平板な絵柄を描いた場合には、絵柄に凹凸がないため、点字で絵柄の内容は理解することができても、絵柄自体に触れて楽しむということはできなかった。
【０００６】
本考案は、上記に鑑みてなされたものであって、目の不自由な方が描画された絵柄の内容を理解し楽しむことができる陶磁器を提供することを目的とする。
【課題を解決するための手段】
【０００７】
上述した課題を解決し、目的を達成するために、本考案は、陶磁器にイッチン技法によって描画した点字を含むことを特徴とする。
【考案の効果】
【０００８】
本考案によれば、目の不自由な方が描画された絵柄の内容を理解し楽しむことができる陶磁器を提供するという効果を奏する。
【図面の簡単な説明】
【０００９】
【図１】本実施例にかかる陶磁器の一例を示す説明図である。
【考案を実施するための形態】
【００１０】
以下、添付図面を参照して本考案にかかる陶磁器の実施の形態を詳細に説明する。なお、以下に示す実施例は本考案の実施の形態の一例であり、本考案はこれらの実施例に限定されるものではない。
【実施例１】
【００１１】
図１は、本実施例にかかる陶磁器の一例を示す説明図である。図１に示すように、陶磁器１０は、点字１１と、絵柄１２と、を含む。
【００１２】
点字１１は、イッチン技法によって描画される。イッチン技法とは、泥漿や釉薬を筒状の入れ物に入れて絞り出すことによって、陶磁器の平面から盛り上がった模様を形成する装飾技法である。本実施例では、三番白盛に長石釉を加えた上絵具を使用する。三番白盛は、窯業界において古くから使用される白色の上絵具であり、凸状に盛り絵付けすることができる。長石釉は、長石・灰・粘土を主成分とした釉薬である。その配合の割合は、三番白盛が９５％〜９０％に対し、長石釉５％〜１０％である。この配合の上絵具を用い、イッチン技法によって点字を描画することによって、点字として機能する描画を作成することができ、器の表面からの十分な盛上りを実現することができる。点字は、同一箇所に、一回、または複数回描画する。点字を描画する位置は、図１に示すように、陶磁器の上部であり、抹茶等を飲むときに唇に当たらない位置（例えば、陶磁器の上部から５〜７ｍｍ、２行目は２ｃｍの位置）に描画する。そのほか、唇の当たらない位置であれば、陶磁器の中央部や下部、健常者から見えない底部であってもよい。
【００１３】
絵柄１２は、点字に関連する絵や柄、模様等を描画する。例えば、点字が伊勢物語の第九段の「東下り」で読まれた和歌「からごろも  きつつなれにし  つましあれば  はるばる来ぬる  たびをしぞ思ふ」である場合、和歌の先頭の文字が「かきつばた」となることから、絵柄をかきつばたの絵にするというように、点字の内容にまつわる事物や点字に記載した事物そのもの等を絵柄として描画する。また、絵柄を主として、絵柄の内容を説明するような点字を付してもよい。
【００１４】
次に、陶磁器の作成手順全体における、点字や絵柄等の作成手順を説明する。陶磁器は、一般的に、次のような手順で作成する。
（１）ろくろ引き（２）成形（削る等）（３）乾燥（４）素焼き（５）下絵描き（６）釉薬をかける（７）本焼き（８）上絵付け（９）上絵焼き
かかる手順において、（８）上絵付けの工程で、上述した配合の上絵具で点字を描画する。絵柄は、上絵具の白盛等を用いてイッチン技法や筆載せ等で描画する。上絵付けした陶磁器は、（９）上絵焼きすることで、陶磁器上に凸状の盛り絵が形成される。上絵焼きの焼き上げ温度を７６０℃〜７８０℃とすることで、点字は、点字として認識可能な盛上りを保持したまま、上絵焼きの際に上絵具や釉薬が流れることなく、焼き上げることができる。また、絵柄についても、かかる温度で焼き上げることによって、触覚で認識することが可能な盛上りを保持することができる。
【００１５】
なお、本考案は、上述した実施例そのままに限定されるものではなく、実施段階ではその要旨を逸脱しない範囲で構成を変形して具体化することができる。また、上述した実施例に開示されている構成は適宜組み合わせてもよく、実施例に示される構成のいくつかを削除してもよい。
【符号の説明】
【００１６】
１０…陶磁器、１１…点字、１２…絵柄
【図１】
0003233311.tif 000003
(57)【要約】      （修正有）【課題】水路ピットの流水壁面に対する流水の速度を速めてゴミ溜りの問題を解消する水路ピットを提供する。【解決手段】流水壁面に斜め堰２０１、２０２又は螺旋堰を突設したことを特徴とする水路ピットであり、流水壁面に斜め堰又は螺旋堰を突設したので少ない水量でも水路が長くなり水路の単位長さ当たりの水流は速度を増すので底壁面でのゴミ溜りは極めて少なくなり清潔環境を維持し、ゴミ排除作業は長期間に延長される。本考案で水路ピットの流水壁面とは流水が流れる底壁面や側壁面を言う。【選択図】図１
0003233303.tif 000002
【実用新案登録請求の範囲】
【請求項１】
流水壁面に斜め堰又は螺旋堰を突設したことを特徴とする水路ピット。
【考案の詳細な説明】
【技術分野】
【０００１】  本考案は、横断面がＵ字型、又はコの字型の排水溝等の水路ピットに関する。
【背景技術】
【０００２】  水路ピット例えば横断面がコ字型で道路わきの排水溝は、特に底壁面等の流水壁が略水平面に近いため流水速度が遅いので上の開放面からのゴミが底壁面にたまり易く衛生上その排除を頻繁に行わなければならない。
また雨量が多い場合は、流水壁が底壁面と側壁面に渡り深くなっても流水速度の上昇はあまり望めず底壁面へのゴミ溜りは解消されない。
【考案の概要】
【考案が解決しようとする課題】
【０００３】  本考案は、前記水路ピットの流水壁面に対する流水の速度を速めて前記したようなゴミ溜りの問題を解消する水路ピットを提供する。
【課題を解決するための手段】
【０００４】  上記課題を満足させる本考案における主な技術構成は、次の（１）の通りである。
（１）、流水壁面に斜め堰又は螺旋堰を突設したことを特徴とする水路ピット。
【考案の効果】
【０００５】  本考案の前記水路ピットは、流水壁面に斜め堰又は螺旋堰を突設したので少ない水量でも水路が長くなり水路の単位長さ当たりの水流は速度を増すので底壁面でのゴミ溜りは極めて少ななり清潔環境を維持し、ゴミ排除作業は長期間に延長される。
本考案で水路ピットの流水壁面とは流水が流れる底壁面や側壁面を言う。
【図面の簡単な説明】
【０００６】
【図１】本考案の実施例１を示すコの字溝１００の説明図であり、（１）は平面図、（２）は（１）の矢視Ａ−Ａからの横断面図である。
【図２】本考案の実施例２を示すＵ字溝３００の説明図であり、（１）は平面図、（２）は（１）の矢視Ｂ−Ｂからの横断面図である。
【考案を実施するための形態】
【０００７】本考案を実施するための形態を図１〜図２に示す実施例により詳細に説明する。
【実施例１】
【０００８】図１に示す実施例１は水路ピットとして横断面がコの字溝１００の例である。コの字溝１００は底壁面１０１に所定間隔で且つ互いに平行に斜め堰２０１、２０２を交互に突設してある。
斜め堰２０１は一方の端部をコの字溝１００の一方の側壁面１０２に接続し、他端部をコの字溝１００の他方の側壁面１０３との間に隙間を形成してある。
斜め堰２０２は一方の端部をコの字溝１００の他方の側壁面１０３に接続し、他端部をコの字溝１００の一方の側壁面１０２との間に隙間を形成してある。
これでコの字溝１００の底壁面を流れる流水は斜め堰２０１と２０２により矢印ＪＧで示すようにジグザクに流れて堰を設けない場合よりも速度を増して流れ底壁面１０１等にゴミを溜めることなく下流に押し流し溝環境を衛生的に長期間維持する。
【実施例２】
【０００９】  図２に示す実施例２は水路ピットとしてＵ字溝３００の例である。
Ｕ字溝３００は、水流が流れる底壁面３０１と側壁３０２，３０３に渡って螺旋堰４０１を突設してある。
これでＵ字溝３００内を流れる流水は螺旋堰４０１により矢印Ｒで示すように螺旋状に流れて堰を設けない場合よりも速度を増して流れ底壁面３０１等にゴミを溜めることなく下流に押し流し溝環境を衛生的に長期間維持する。
【産業上の利用可能性】
【００１０】  本考案は、前述の優れた作用効果を呈するため、路側帯の側溝などの水路ピットにおけるゴミ溜りの問題を解消して清潔な水路環境を維持するため道路行政及び道路建設業に貢献すること多大なものがある。
【符号の説明】
【００１１】  １００：コの字溝
１０１：底壁面
２０１、２０２：斜め堰
１０２：側壁面
１０３：側壁面
３００：Ｕ字溝
３０１：底壁面
３０２，３０３：側壁
４０１：螺旋堰
【図１】
0003233303.tif 000003
【図２】
0003233303.tif 000004
(57)【要約】      （修正有）【課題】原反ロールの巻芯（紙管、樹脂管、金属管）とシート材（フィルム、樹脂、紙、布）の分離作業において作業者の労力軽減、安全作業、作業者の熟練度に関係なく効率よく分離作業を可能にする原反ロール処理装置を提供する。【解決手段】カッターユニット２を昇降機構及び横移動機構に取付け、各ハンドル４、７の操作により原反ロールのシート材表面に丸刃３を食い込ませ横方向に移動、往復させてシート材を切断することにより、人力負担を減少し作業者の労力軽減する。また、従来の折る刃式カッターナイフと異なり刃物破損による怪我がなくなり安全作業が出来る。さらに、作業者の熟練度に関係なく効率よく容易に巻芯とシート材の分離作業ができる。【選択図】図１
0003233306.tif 000002
【実用新案登録請求の範囲】
【請求項１】
原反ロール（フィルム、樹脂、紙、布）の左右切断深さを均一にさせるための昇降機構は架台両側取付けスライドガイドシャフト及びラック・ピニオンにより主保持台が昇降ハンドルとウォームギヤ機構で上下降、常に水平が保たれ主保持台に取付けたカッターユニットの左右移動も水平が保たれている為、原反ロール（フィルム、樹脂、紙、布）が均一に切断できるとともにウォームギヤ機構とラック・ピニオンにより切断時の反力を保持できる機構としている、左右移動の水平微調節は左右ラック下取付の微調整押しボルトでラックを上下微調整出来る様にしている、カッターユニットには回転丸刃を使用して刃物耐久性向上、左右往復切断が可能とし作業効率が大幅に改善、又カッターユニットの横移動には直線運動レールを使用して人力負荷を軽減させている、刃物カバーは切断部以外では丸刃がカバー内に入る様スプリング圧力による格納機構としている、原反ロール受けバーは三角形状のもの２本使用、原反ロール外径の大小に対応可能なよう巾移動出来るようにしている、原反ロール切断時刃物抵抗の圧力により横移動を防止する為横移動防止ストッパー取付、以上の構成により昇降ハンドルで原反ロールの表面切断位置までカッターユニットを下降、丸刃を左右移動させ順次繰返し切断、巻芯（紙管、樹脂管、金属管）表面まで切断してシート材（フィルム、樹脂、紙、布）と巻芯（紙管、樹脂管、金属管）を分離させることを特徴とする原反ロール処理装置。
【考案の詳細な説明】
【技術分野】
【０００１】本考案はフィルム、紙、樹脂、布等シート材の製造及び二次加工分野で原反ロールの巻芯（紙管、樹脂管、金属管）とシート材（フィルム、樹脂、紙、布）を原反ロール処理装置で安全に、効率良く分離する装置に関するものである。
【背景技術】
【０００２】原反ロールの分離は巻芯の再利用、シート材の再資源化を目的とし従来は折る刃式カッターナイフ等を使用してシート材表面に人力で横方向にカッターナイフを移動させ切断を行う方法で手首の故障、作業効率が悪い、力加減により刃先が折れる、カッターナイフが滑り人体に当たり怪我をする、カッターナイフの耐久性に欠ける等、巻芯とシート材の分離作業は困難な問題であった。
【先行技術文献】
【特許文献】
【０００３】
【特許文献１】実用新案登録第３２０３２７５号
【考案の概要】
【考案が解決しようとする課題】
【０００４】巻芯とシート材分離は折る刃式カッターナイフ等の刃物を使用してシート材に人力でカッターナイフを押付け横方向にナイフを移動させ切断を行う方法で手首の故障、作業効率が悪い、力加減により刃先が折れる、カッターナイフが滑り人体に当たり怪我をする等、巻芯とシート材の分離作業は困難な問題となる、したがって機械的な原反ロール処理装置を使用することにより人力を極力減少させて安全作業、作業効率を大幅に改善、前途の点を解決しようとするものである。
【課題を解決するための手段】
【０００５】本考案は、２のカッターユニットを昇降機構及び横移動機構に取付けて昇降用４の丸ハンドル、横移動用７のレバーハンドルの操作により原反ロールのシート材表面に３の丸刃を食い込ませ横方向に移動、往復させて切断していくもので、シート材を機械動作と丸刃の回転動作で切断することにより人力負荷が減少及び手首の故障、作業効率の悪さ、力加減により刃先が折れる、カッターナイフが滑り人体に当たり怪我をする等困難な問題を解決することにより巻芯とシート材の分離作業が容易となった。
【考案の効果】
【０００６】上述の様に、本考案の原反ロール処理装置を使用することにより人力負荷が減少、安全性、作業効率向上、巻芯（紙管、樹脂管、金属管）の再利用可能、シート材（フィルム、樹脂、紙）の再資源化可能で産業廃棄量、経費の削減及び作業負担が大幅に軽減される。
【図面の簡単な説明】
【０００７】
【図１】本考案の原反ロール処理装置の構成を表示する。
【図２】原反ロール処理装置の実地例、動作を示す全体図である。
【考案を実施するための形態】
【０００８】以下、添付図面に従って実地例を説明する。図１の１は主保持台で２はカッターユニット、３はカッターユニットに組み込んでいる丸刃、７はレバーハンドルでカッターユニットを左右に移動させる、８は直線運動レールでカッターユニットを左右に水平移動させるガイド、４は昇降ハンドル、５・６はウォームギヤ機構で主保持台を昇降させる、９はスライドガイドシャフト、１０はラック・ピニオンで主保持台が左右均一に平行に保ちながら昇降させ図２の１３原反ロール（フィルム、樹脂、紙、布）の切断深さを均一にさせる、１２は原反ロール受けバーで三角形状のバーを２本用い、原反ロール外径の大小に対応可能なように巾移動出来る、１５は原反横移動防止ストッパーで刃物抵抗の圧力が横にかかった時に動かない様に使用する、以上の構成により昇降ハンドルで原反ロールの切断位置までカッターユニットを下降及び左右に移動切断動作、順次繰返し巻芯表面までシート材（フィルム、樹脂、紙、布）を切断して巻芯（紙管、樹脂管、金属管）と分離させる。
【符号の説明】
【０００９】  １  主保持台
２  カッターユニット
３  丸刃
４  昇降ハンドル
５  ウォームギャ
６  ウォームホイール
７  レバーハンドル
８  直線運動レール
９  スライドガイドシャフト
１０  ラック・ピニオン
１１  同調シャフト
１２  原反ロール受けバー
１３  原反ロール（フィルム、樹脂、紙、布）
１４  巻芯（紙管、樹脂管、金属管）
１５  原反横移動ストッパー
１６  安全カバー
１７  スプリング
１８  微調整押しボルト
１９  架台
【図１】
0003233306.tif 000003
【図２】
0003233306.tif 000004
(57)【要約】      （修正有）【課題】軽量化と防爆を可能とする金属並みの強度を実現するラチェットレンチを提供する。【解決手段】ラチェットレンチ機能部と該機能部を覆う円形保持部と、該円形保持部から連続する握手部からなるものであるラチェットレンチにおいて、該円形保持部とこの円形保持部から連続する握手部を４０〜６０ｗ％のカーボン繊維と残りを６０〜４０ｗ％の熱硬化性樹脂成分であるフェノール樹脂とした。【選択図】図１
0003233301.tif 000002
【実用新案登録請求の範囲】
【請求項１】
ラチェットレンチ機能部と該機能部を覆う円形保持部と、該円形保持部から連続する握手部からなるものであるラチェットレンチにおいて、該円形保持部とこの円形保持部から連続する握手部とをカーボン繊維と熱硬化性樹脂成分であるフェノール樹脂としたことを特徴とするラチェットレンチ。
【考案の詳細な説明】
【技術分野】
【０００１】  本考案は、ラチェットレンチに関するものである。
【背景技術】
【背景技術】
【０００２】従来、ラチェットレンチ工具は、強度を考慮すると金属製にするしか方法がなかった。そのため重く、衝突による火花で火災の心配があるとともに、高所作業での工具の取り扱いが安全上大変であった。【０００３】また、カーボン繊維の廃材は国内航空機メーカー１社で７０ｔ／月排出され、この利用方法の開発が喫緊の課題と成っている。【０００４】しかし、上記の課題解決は未だなされていない。【０００５】  上記金属からの樹脂化による軽量化の課題は、その解決策として発明された実用新案登録第第３２２５７６８号考案（特許文献１）があるが、この考案は上記問題を解決するものとして有用なものである。その概要は、炭素繊維強化熱可塑性樹脂から成るものであり、極めて有用なるものであるが、成形上から熱可塑性樹脂を使用せざるを得ないこととなる。
また、ガラス繊維に熱硬化性樹脂によるものが特許番号第２９０７６７９号（特許文献２）として提案されている。またこの提案の従来例として炭素繊維エポキシ布地で工具表面を覆う方法も開示されているが、金属製の類似品の持つトルクの４０％以下の強度しかないため利用が特定されてしまうとのことである。【０００６】
【先行技術文献】
【特許文献】
【０００７】
【特許文献１】実用新案登録第第３２２５７６８号公報
【特許文献１】特許番号第２９０７６７９号公報
【考案の概要】
【考案が解決しようとする課題】
【０００８】  本考案は、上記に鑑み案出されたものであり、その成分割合が４０〜６０ｗ％のカーボン繊維と６０〜４０ｗ％の熱硬化性樹脂であるフェノール樹脂から成ることを特徴とする手持ち工具である。
【課題を解決するための手段】
【０００９】  本考案のラチェットレンチは、軽量かつ引張荷重強度が鋼材並みの強度を有する手持ち工具を提供するため、樹脂による軽量化と、抄造法による強度の向上を達成するものである。【００１０】  本考案のラチェットレンチ工具は、図１に示すようにラチェットレンチ機能部と該機能部を覆う円形保持部と、該円形保持部から連続する握手部からなるものであるラチェットレンチである。
上記機能部は市販のものを利用し、該機能部を覆う円形保持部と、該円形保持部から連続する握手部を本考案の４０〜６０ｗ％のカーボン繊維と６０〜４０ｗ％の熱硬化性樹脂成分であるフェノール樹脂から成ることを特徴とするものである。【００１１】  本考案の断熱部材部分は、抄造法を利用するものであるが、この方法は一般的に知られた方法であり、その目的は繊維への樹脂の定着を効率的に行うことができるようにしたものである。
図２からもわかるように縦軸は重量を示し、横軸は抄造された素形材を縦４、横５の２０分割された各部位をナンバリングしたものであり、重量変化がなく略均一に分散していることがわかる。【００１２】  本考案のラチェットレンチの抄造法による実施は、カーボンファイバー６０ｗ％と熱硬化性のフェノール樹脂４０ｗ％とを混錬し抄造法により成形するものであり、その厚さは抄造後の素形材として１００ｍｍである。その後８０℃で３時間乾燥し、１８０℃、５分で熱プレスにより成形し５ｍｍ厚の板材として成形するものである。【００１３】  上記実施例では、５ｍｍ厚の成形を例示したが手持ち工具の厚みを８ｍｍ〜１０ｍｍ厚のものとする場合は、素形材を１５０ｍｍ程度に成形し、上記同様にプレス成型後、８ｍｍ〜１０ｍｍ厚に成形するものである。
【考案の効果】
【００１４】  鉄製の手持ち工具とほぼ同等の引張荷重強度を有し、４分の１〜７分の１の重さのラチェットレンチの提供が可能となり、防爆や、高所作業の安全性確保など有益なものである。
実測値として、リサイクルカーボンとフェノール樹脂の３ｍｍ厚とＳＵＳ１ｍｍ厚の比較では曲げ強さは、５０２Ｍｐａに対し５７８Ｍｐａで、引張荷重強度は、６４３３Ｎに対して６４００Ｍｐａであった。ほぼ同等の強度が確認できたこととなる。一例として市販の３７ｃｍ長のラチェットレンチが９００ｇであるが本考案によれば５分の１の重量の１８０ｇと軽量化が期待できる。
【図面の簡単な説明】
【００１５】
【図１】  本考案のラチェットレンチの一例を示す図面代用写真の斜視図である。
【図２】  本考案の強度試験の結果を示す表である。
【考案を実施するための形態】
【００１６】    本考案の実施例を説明すると、６ｍｍ長にカットされたカーボン繊維とフェノール樹脂とを６対４の割合で大量の水の中で混錬した後、脱水して素形材を成型する。その後、乾燥させるため８０℃で３時間乾燥させた後、加圧加熱成形するものである。上記乾燥は水分量が１０％程度で、加熱温度は１４０℃で、５ｍｍ厚の成形品を得るため１５０トンプレスで５分間プレスして成形するものである。
【００１７】  上記実施例において、図１に示すラチェットレンチ機能部と該機能部を覆う円形保持部と、該円形保持部から連続する握手部からなり、このレンチの一実施例を示したが、必要トルクによる握手部の長さによりプレス圧や時間は調整するものである。
【００１８】  本考案は、抄造法と熱可塑性樹脂により、ラチェットレンチの軽量化と防爆機能の実現を達成できた極めて有益なるものであるばかりでなくリサイクルカーボンを利用できるため、鉄製やステンレス製などの工具を得るための千数百度の温度の溶融作業がないため二酸化炭素削減に大きく貢献できる。
【００１９】  また従来、高所での作業において、工具類を腰に保持するため、その重量から腰を痛めることもあったが、軽量のため緩和が期待でき工具の落下による重大災害の心配も軽減できる。
【産業上の利用可能性】
【００２０】  本考案は工具産業において、環境を重視した対策として、また防爆による火災防止、軽量化による大きな効果を有する極めて優れたものである。
【図１】
0003233301.tif 000003
【図２】
0003233301.tif 000004
(57)【要約】      （修正有）【課題】吸った息と吐いた息を調整出来るスライド板付マスクを提供する。【解決手段】吸った息と吐いた息を調整出来るスライド板付マスクは、革マスク本体１の背面にゴム製のストロー状の筒を設けて、スムーズに息ができるようにし、スライド板１−１をスライドさせて、必要に応じて革マスク側穴２−１から息を吸う・息を吐く事を可能にして、ゴム製のストロー状の筒とスライド板１−１をスライドさせて息を吸う・息を吐く時、２か所で行える構造にして、不織布マスクと２重マスクとして使用出来る。【選択図】図１
0003233639.tif 000002
【実用新案登録請求の範囲】
【請求項１】
マスクの背面にゴム製のストロー状の筒(4)を設けて、マスクの着用中に「吐く息」「吸う息」が適切に行く事を目指している事と、スライド板（１−１）をスライドさせて、必要に応じて革マスク側穴（２−１）から息を吸う・息を吐く事に不便のない構造にして、ゴム製のストロー状の筒(4)とスライド板（１−１）をスライドさせて息を吸う・息を吐く時、２か所で行える構造にして、念のため、上記２か所の他、不織布（３）と２重マスクとして使用出来る事を特徴とする吸った息と吐いた息を調整出来るスライド板付マスク。
【考案の詳細な説明】
【技術分野】
【０００１】
本考案は，新型コロナウイルス感染防止のために欠かせないマスクであり、更に便利さを備えたマスクに関する。
【背景技術】
【０００２】
従来，口と鼻をマスクで覆い昔から使用して来たものであるが、日本では２０２０年３月頃から新型コロナウイルス感染が極めて多くなり、死者も多くなって来たため感染防止のため国民全員が智恵を出して行く事は欠かせない。
［特許文献１」実願2020-2420［考案の名称］飲食用使い捨て呼気シールドマスク
［特許文献２]特願2006-270119 ［発明の名称］微小光学素子、その製造方法及びフォトマスク。
マスクは、公報に掲載はあるが構造の違いが大きい。
【先行技術文献】
【特許文献】
【０００３】
【特許文献１】実願２０２０-２４２０
【特許文献２】特願２００６−２７０１１９
【考案の概要】
【考案が解決しようとする課題】
【０００４】
日本では、新型コロナウイルス感染が極めて多くなり特に東京都、北海道は２０２０年３月から７月は多く感染し危険な状態であることは事実である。
また、日本人全員が感染防止のためマスクを使用することは欠かせない。
しかし、感染率が少ない地域に置いては、マスクを重要視していない人もいるが、全員がマスクと手洗いは完全にすべきと考える。
一人でも多くの方々が使用することが重要であり、これを解決する事が大きな課題である。
また、革マスクを使用する際、息の吐く時、息を吸う時にスムーズに行かない時は、マスクを外すことは危険な事であり、何とかマスクを使用しながら操作が出来るようにする事が出来ないか、これを解決する事が課題である。
【課題を解決するための手段】
【０００５】
課題を解決するために本発明は，以下の構成とした。
図４の背面にゴム製のストロー状の筒(4)を設けて、マスクの着用中に「吐く息」「吸う息」が調整出来るようにした。
【０００６】
スライド板（１−１）をスライドさせて、必要に応じて革マスク側穴（２−１）から息を吸う・息を吐く事に不便のない構造にした。
【０００７】
ゴム製のストロー状の筒(4)とスライド板（１−１）をスライドさせて息を吸う・息を吐く時、２か所で行える構造にした。
念のため、上記２か所の他、不織布（３）と２重マスクとした。
【考案の効果】
【０００８】
1.   ゴム製のストロー状の筒(4)・スライド板（１−１）をスライドさせる・不織布（３）の２重マスクを使用し３か所での対策であり安全である。
２.  マスクを着用したまま、スライド板（１−１）を移動させることが出来る。
【図面の簡単な説明】
【０００９】
【図１】マスク正面図
【図２】左側面図
【図３】左側面から見た空気の出し入れが出来るスライド板を引いて見せた説明図
【図４】革製マスクの背面図
【図５】革製マスクの背面に不織布マスクをセットして二重にして使用出来るようにした説明図
【図６】不織布マスクの正面から見せた説明図
【考案を実施するための形態】
【００１０】
図４の背面にゴム製のストロー状の筒(4)を設けて、マスクの着用中に「吐く息」「吸う息」が適切に出来る構造にした。
【００１１】
スライド板（１−１）をスライドさせて、必要に応じて革マスク側穴（２−１）から息を吸う・息を吐く事に不便のない構造にした。
ゴム製のストロー状の筒(4)とスライド板（１−１）をスライドさせて息を吸う・息を吐く時、２か所で行える構造にした。
【００１２】
念のため、上記２か所の他、不織布（３）と２重マスクとして使用出来る構造にした。
【００１３】
使用方法として、マスクを着用したまま、スライド板を操作しても、スライド板に開けた穴（1-3）と革マスクのスライド板の通路側に開けた穴（１−２）と、目で見ながら操作が出来ないため、マスクを着用する前に、双方の穴が一致しているか確認する必要がある。
【符号の説明】
【００１４】
１        革マスク本体
１−１    スライド板
１−２    革マスクのスライド板の通路側に開けた穴
１−３    スライド板に開けた穴
１−４    革マスク本体に取り付けたゴム紐
２        吐いた息・息を吸った時に必要な穴
２−１    革マスク側穴
３        革マスクの背面にセットして使用する不織布マスク
３−１    不織布マスクゴム紐
４        ゴム製のストロー状の筒
４−１    ゴム製のストロー状の筒固定している金属
【図１】
0003233639.tif 000003
【図２】
0003233639.tif 000004
【図３】
0003233639.tif 000005
【図４】
0003233639.tif 000006
【図５】
0003233639.tif 000007
【図６】
0003233639.tif 000008
(57)【要約】      （修正有）【課題】深場から仕掛けを巻き上げて回収するときに、釣り人の腕に負担がかかることを解消し、楽に早く回収することができる補助器具を提供する。【解決手段】補助器具は、電動ドライバーの回転部分に、釣り用リールのハンドル部分の形状に適合するアタッチメント機構を備え、本体１から突出している２本のピン２ａ、２ｂをリールハンドルの肉抜き穴に差し込み、電動ドライバーの回転スイッチを入れることで、手動リールを電動ドライバーで巻き上げて素早く回収する。【選択図】図１
0003233635.tif 000002
【実用新案登録請求の範囲】
【請求項１】
電動ドライバーの回転部分に、釣り用リールのハンドル部分の形状に適合するアタッチメント機構を備え、手動リールを電動ドライバーで巻き上げることが可能な補助器具。
【考案の詳細な説明】
【技術分野】
【０００１】  本考案は、釣り具の電動巻き取り補助具に関する。
【背景技術】
【０００２】  従来、釣り用のリールを手動で巻き上げていた。
【先行技術文献】
【特許文献】
【０００３】
【特許文献１】特開２０００−２３２８３８
【考案の概要】
【考案が解決しようとする課題】  深場から仕掛けを巻き上げ回収をするときに、手動で巻き上げると時間がかかり、釣り人の腕にかなり負担がかかる。
また、電動リールもあるが（特許文献１）、コンピュータで制御しなければならないため、手軽に使用することはできない。
上記の問題点を解決するために、手動リールに電動巻き取り装置を取り付けて、楽に早く回収することを目的とする。【０００５】
【課題を解決するための手段】
【０００６】  本考案は、電動ドライバーの回転部分に、釣り用リールのハンドル部分の形状に適合するアタッチメント機構を備え、手動リールを電動ドライバーで巻き上げて、素早く回収する。
【考案の効果】
【０００７】釣り人の体力的な負担を減らし、迅速に釣り仕掛けを回収することができる。
【図面の簡単な説明】
【０００８】
【図１】
【考案を実施するための形態】
【０００９】  本体から突起している２本のピンをリールハンドルの肉抜き穴に差し込み、電動ドライバーの回転スイッチを入れて、リールを回転させて回収する。
【実施例】
【００１０】  厚さ２ｍｍのカーボン製の板１に、取付穴３をあけて、ピンを取り付け穴３から等距離に立てる。また、２ａと３ａの距離間は、使用するハンドルに適合する距離にする。
【産業上の利用可能性】
【００１１】釣り具用リールの補助具として利用できる。
【符号の説明】
【００１２】１    本体
２ａ  ピン
２ｂ  ピン
３    取付穴
【図１】
0003233635.tif 000003
【手続補正書】
【提出日】令和3年6月8日(2021.6.8)
【手続補正１】
【補正対象書類名】明細書
【補正対象項目名】０００８
【補正方法】変更
【補正の内容】
【０００８】
【図１】釣り用リールのハンドル部分の形状に適合するアタッチメント機構を表す図である。
(57)【要約】      （修正有）【課題】自転車のペダルを踏み込んで回転させた時、履物に寄って反射材が隠れたりペダルを回転させると一時、反射材がみえなくなってしまう問題を解決するために、反射材がみえて、前後脇を歩いている人に、自転車の存在を知らせる、反射材付き３面ペダルを提供する。【解決手段】３面ペダル型にして、ペダル面に対して垂直に回転軸の真下へ垂直板を設け両面に反射材２を貼り付ける事、ペダル側面に反射材８を付けることで、自転車の前後から来る人、脇を歩いている人に、昼夜の自転車走行の存在を知らせることを可能にする。【選択図】図４
0003233633.tif 000002
【実用新案登録請求の範囲】
【考案の詳細な説明】
【技術分野】
【０００１】  本考案は、自転車のペダル２面ペダル型から反射材付き３面ペダル型にすることで、昼夜の自転車走行を、前から来る対向者，後ろから来る人、脇を歩いている人に自転車の存在を知らせる。
【背景技術】
【０００２】  従来の自転車ペダルは、踏込み２面ペダル型でペダルの前後に反射材を取り付て、前から来る対向者、後ろから来る人へ、自転車の存在を知らせていた。
【考案の概要】
【考案が解決しようとする課題】
【０００３】  自転車、履物を履いて自転車ペダルを踏み込んで回転させた時、履物によって反射材が隠れたり、ペダルを回転させると一時、反射材が見えなくなってしまう、これらの事を常に反射材がみえて、前後脇を歩いている人に、自転車の存在を知らせる。
【課題を解決するための手段】
【０００４】  従来の２面ペダル型を、反射材付き３面ペダル型にする。ペダル面に対して垂直に回転軸の真下へ垂直板を設け両面に反射材を貼り付ける事、ペダル側面に反射材を付けることで可能とする。
【考案の効果】
【０００５】  この発明の反射材付き３面ペダルは、ペダルの反射材は履物によって隠れることがなくなり、ペダルを回転させても、ペダル回転軸の真下に垂直板を設けて両面に反射材を貼り付ける事で、反射材がみえる。ペダル側面に反射材を付ける事で、自転車の前後から来る人、脇を歩いている人に、昼夜の自転車走行の存在を知らせる事を可能にする。
【図面の簡単な説明】
【図１】  平面図
【図２】  側面図
【図３】  側面図
【図４】  立体図形
【図５】  立体図形
【図６】  立体図形
【図７】  ペダルの回転によって反射材の反射展開図
【図８】  ペダルの回転によって反射材の反射展開図
【図９】  ペダルの回転によって反射材の反射展開図
【産業上の利用可能性】  本考案は、（考案の名称）を製造する産業で利用される。
【符号の説明】１    ペダル
２    反射材
３    クランクアームへの接続固定ネジ
４    ベアリングと保護枠
５    回転軸
６    垂直板
７    側面保護パネル
８    反射材
９    クランクアーム
【図１】
0003233633.tif 000003
【図２】
0003233633.tif 000004
【図３】
0003233633.tif 000005
【図４】
0003233633.tif 000006
【図５】
0003233633.tif 000007
【図６】
0003233633.tif 000008
【図７】
0003233633.tif 000009
【図８】
0003233633.tif 000010
【図９】
0003233633.tif 000011
【手続補正書】
【提出日】令和2年10月13日(2020.10.13)
【手続補正１】
【補正対象書類名】実用新案登録請求の範囲
【補正対象項目名】全文
【補正方法】変更
【補正の内容】
【実用新案登録請求の範囲】
【請求項１】
３面ペダル型にする事
【請求項２】
ペダル面に対して垂直に回転軸の真下へ垂直板を設け両面に反射材を貼り付ける事
【請求項３】
ペダル側面に反射材を付ける事
【手続補正書】
【提出日】令和3年1月25日(2021.1.25)
【手続補正１】
【補正対象書類名】実用新案登録請求の範囲
【補正対象項目名】全文
【補正方法】変更
【補正の内容】
【実用新案登録請求の範囲】
【請求項１】
３面ペダル型にする事
【請求項２】
ペダル面に対して垂直に回転軸の真下へ垂直板を設け両面に反射材を貼り付ける事
【請求項３】
薄い円柱の形状を有する反射材を貼り付ける事
【手続補正書】
【提出日】令和3年5月12日(2021.5.12)
【手続補正１】
【補正対象書類名】実用新案登録請求の範囲
【補正対象項目名】全文
【補正方法】変更
【補正の内容】
【実用新案登録請求の範囲】
【請求項１】
３面ペダル型にする事を特徴とする反射材付き３面ペダル。
【請求項２】
３面ペダル型にする事を特徴とする、各ペダル面に対して垂直に回転軸の真下へ四角形の垂直板を設け、両面に反射材を貼り付けた３面ペダル。
(57)【要約】      （修正有）【課題】お茶を飲みながら会話をする時に、すぐに不織布マスクを使用することにより、飛沫を防ぐことができるフェースシールドマスクを提供する。【解決手段】透明なプラスチックのお面を湾曲形成したフェースシールドであって、当該フェースシールドは、目のまわりを切り開いた部分１５と、この切り開いた部分の下に設けたクリップ１３を備え、そのクリップに不織布マスク１４のヒモをつり下げていることを特徴とするフェースシールド。【選択図】図１
0003233667.tif 000002
【実用新案登録請求の範囲】
【請求項１】
透明であるプラスチック材であり顔面を覆うフェイスシールドで装着されている、飛沫を飛ばすことなく会話の時に指で不織布マスクをワイヤーの方を下にもっていけば普通のマスクができる。
フェイスシールドマスク
【考案の詳細な説明】
【技術分野】
【０００１】この孝案は、コロナを人に感染させないための、マスクに対する案である。
【背景技術】
【０００２】一般的にフェイスシールドは透明でプラスチック材からなり従来はフェイスシールドに使うものだが不織布マスクを使用することによりお互いの飛沫を防ぐことができる。
【考案の概要】
【考案が解決しようとする課題】喫茶店、会食、会議なのでお茶を飲みながら会話をする時にすぐマスクができ飛沫を防ぐことが、できるようにする事
【課題を解決するための手段】透明である、プラスチック材であり顔面を覆うフェイスシールドで装着されいる、飛沫を飛ばすことなく会話の時は指で不織布マスクをあごの下にもっていけば普通のマスができる
【考案の効果】マスクを耳にかけたりするより上下という面倒な部分を解決することができる
【図面の簡単な説明】
【図１】  顔にフェイスシールドと不織布をつけた状態
【図２】  飲食をするために不織布マスクを上げた状態
【図３】  不織布マスクのヒモを切った状態
【図４】  目の部分にラップをはった状態
【考案を実施するための形態】
透明であるプラスチック材であり顔面を覆うフェイスシールドで装着されている、飛沫を飛ばすことなく会話の時に指で不織布マスクをワイヤーを下にもっいけば普通のマスクができる
【実施例】〔図１〕  透明なフィイスシールドに
▲１４▼不織布マスクをつけこ状態
固定されたフィイスシールド▲１１▼により内に湾曲を作る  フェイスシールド▲１１▼によって固定されている
▲１５▼によりよくみえるようになる
▲１４▼により不織布マスクを固定している
〔図２〕  飲食する時に不織布マスクのワイヤーの部分をもちあげ上のフックにはさんだ状態
〔図３〕  布織布マスクのヒモを切った状態
〔図４〕  科学的な問題
【符号の説明】▲１１▼  クッション
▲１２▼  ゴムひも
▲１３▼  クリップ
▲１４▼  不織布マスク
▲１５▼  目のまわりを切り開く
▲３３▼  布織布マスクのひもを切る
▲２２▼  フェイスシールドの内にフックをとりつける
【図１】
0003233667.tif 000003
【図２】
0003233667.tif 000004
【図３】
0003233667.tif 000005
【図４】
0003233667.tif 000006
【手続補正書】
【提出日】令和3年5月10日(2021.5.10)
【手続補正１】
【補正対象書類名】実用新案登録請求の範囲
【補正対象項目名】全文
【補正方法】変更
【補正の内容】
【実用新案登録請求の範囲】
【請求項１】
透明なプラスチックのお面を湾曲形成したフェースシールドであって、当該フェースシールドは、目のまわりを切り開いた部分と、この切り開いた部分の下に設けたクリップを備え、そのクリップに不織布マスクのヒモをつり下げていることを特徴とするフェースシールド。
(57)【要約】      （修正有）【課題】複数の大小異なるブラシを組み合わせることで、広範囲かつきめ細かなマッサージを可能とするマッサージ器を提供する。【解決手段】マッサージ器のハンドル部１根元に、円弧を描きドームに広がる棒状のブラシ３−１、３−２を複数溶接させ、ハンドルの操作のみで前述の複数の棒状ブラシのすべてを連動させ同時に動作させる。大小異なる複数のブラシを、複数の大きいサイズの棒状ブラシからなる集合によって囲まれ作られた空間内部に、それより小さいサイズの棒状ブラシ３−１を複数組み合わせて作られた集合を、小さい棒状ブラシの全てが大きい棒状ブラシによって作られた空間に完全に包含されるように配置されたブラシの組み合わせを持つ。【選択図】図１
0003233643.tif 000002
【実用新案登録請求の範囲】
【請求項１】
複数のブラシを連結し、一カ所の操作で連動して運動することを特徴とするマッサージ器。
【請求項２】
大小異なる複数のブラシを組み合わせていることを特徴とするマッサージ器。
【請求項３】
複数のブラシを連結し、一カ所の操作で連動して運動することを特徴とするマッサージ器。
【請求項４】
本数の異なるブラシの組み合わせであることを特徴とするマッサージ器。
【考案の詳細な説明】
【技術分野】
【０００１】
本考案は、マッサージ器具の技術分野、特に電動頭皮マッサージ器に関するものである。
【背景技術】
【０００２】
マッサージ器具の中で、現在実用化されている頭皮マッサージ器は、電力によるアシストの有無を問わず主に二つの種類のものがある。掌サイズで円錐型のブラシを持つものと、頭全体を覆う大きさでタコ足型のブラシを持つものである。前者は使用者が細かく操作することで、頭部を広くにわたってマッサージすることを可能とし、後者はその大きさによって、一度に広範囲をマッサージすることで広範囲のマッサージを実現しており、それらは実用上十分であった。
【０００３】
しかし、頭部を隅々までマッサージしようと考えたとき、従来の二種類の頭皮マッサージ器ではそれぞれ、一度にマッサージできる範囲が狭いため、広範囲のマッサージをするのに時間がかかるもしくは、マッサージ器が大きく操作性が悪いためにマッサージを行う場所の細かな調節がしずらく、特に頭頂部のマッサージができないという欠点があった。
【０００４】
この欠点は、マッサージを行うことで更なるストレス引き起こすこととなり、頭部の血流をよくしてストレスを軽減し、体調を整えるという頭皮マッサージ器の目的から乖離させるものである。
【０００５】
この改善策として、従来のタコ足型頭皮マッサージ器を小型化、軽量化して操作性を上げることにより、負荷を軽くすることが考えられる。しかし、これではタコ足型ではない小型の頭皮マッサージ器と比べて大差がないものとなり、技術的には可能だが実用させるための十分のメリットがない代物となるという問題が発生する。また、サイズが小さくなるため、マッサージにかかる時間がが長くなり、従来のタコ足型頭皮マッサージ器より効率が悪くなるという問題が発生する。
【先行技術文献】
【特許文献】
【０００６】
【特許文献１】特表２０２０−５００５６５号公報
【考案の概要】
【考案が解決しようとする課題】
【０００７】
解決しようとする問題点は、既存の頭皮マッサージ器が細かな操作と一度に広範囲をマッサージすることを両立できない点である。
【課題を解決するための手段】
【０００８】
本考案は、頭頂部を対象に専用のブラシを設けることで、従来の頭全体を覆うサイズのタコ足型頭皮マッサージ器ではマッサージしずらかった頭頂部のマッサージが可能であることを最も重要な特徴とする。
【考案の効果】
【０００９】
本考案の頭皮マッサージ器は、図1に示すハンドルの操作により、一回の操作で大小異なる複数のブラシを操作できるため、頭頂部と側頭部を一度に両方マッサージできるという利点がある。
【図面の簡単な説明】
【００１０】
【図１】図１はマッサッジャーを正面からみた立面図である。
【考案を実施するための形態】
【００１１】
頭頭頂部と側頭部の両方を同時にマッサージするという目的を、最小の部品点数で、質量を増加させずに実現した。
【実施例１】
【００１２】
図１は、本考案装置の正面の立面図であって、１は、ハンドル、２は電子装置部、３−１，３−２はブラシを示すものである。
【００１３】
電子装置部に起因するエネルギーによって、本マッサッジー器は振動と電流のいずれかもしくはその両方をブラシ３から出力する。本考案の主体はブラシの形状の組み合わせにあるので、電子、機構系の説明は省略する。
【符号の説明】
【００１４】
１    ハンドル
２    電子装置部
３-１    ブラシ
３-２    ブラシ
【図１】
0003233643.tif 000003
【手続補正書】
【提出日】令和3年6月22日(2021.6.22)
【手続補正１】
【補正対象書類名】実用新案登録請求の範囲
【補正対象項目名】全文
【補正方法】変更
【補正の内容】
【実用新案登録請求の範囲】
【請求項１】
マッサージ器のハンドル部根元に、円弧を描きドームに広がる棒状のブラシ(図13-1および3-2)を複数溶接させ、ハンドルの操作のみで前述の複数の棒状ブラシのすべてを連動させ同時に動作させることを特徴とするマッサージ器。
【請求項２】
大小異なる複数のブラシを、図1の3-1部と3-2部のように、複数の大きいサイズの棒状ブラシ（図では3-2部が示す棒状ブラシ）からなる集合によって囲まれ作られた空間内部にそれより小さいサイズの棒状ブラシ（図においては3-1部）を複数組み合わせて作られた集合を、小さい棒状ブラシの全てが大きい棒状ブラシによって作られた空間に完全に包含されるように配置されたブラシの組み合わせを持つ構造を特徴とするマッサージ器。
【請求項３】
請求項１に記述されている棒状のブラシが、請求項2にあるよう、図3-1部と図3-2部においては異なる大きさ、形状のブラシの組み合わせであることを特徴とするマッサージ器。
【請求項４】
請求項3に記述されている異なる大小、形状をもつ棒状ブラシが、それぞれ大きさ、形状により異なる本数だけマッサージ器ハンドル部に溶接されていることを特徴とするマッサージ器。